(57)【要約】【課題】  セキュリティロックを使用していない時と変わらない利便性で、セキュリティロックを使用できる携帯情報端末向け認証システムを提供する。【解決手段】  携帯電話のヒンジが特定の状態となることをヒンジ状態検知部１が検知すると、撮像部２を駆動し、携帯電話の操作者の顔を撮影し画像を取得する。続いて顔認証手段３１にて、取得した画像中の顔と予め登録されている顔データとが同一人物か否かを判定する。画像中の顔が登録人物と同一人物であると判定された場合、ロック解除手段３２にて、携帯電話のセキュリティロックを解除する。【選択図】      図１
2007249797.tif 000002
【特許請求の範囲】
【請求項１】
端末の構成部品であるヒンジの状態が所定の状態のときに取得される画像を予め登録されている顔データと照合し、
前記照合が成功した時にロック状態の解除を行なうことを特徴とする携帯情報端末認証システム。
【請求項２】
前記照合が失敗した時に、前記取得される画像の情報をユーザーが確認できる記憶部に記録することを特徴とする請求項１記載の携帯情報端末認証システム。
【請求項３】
前記ヒンジの所定の状態が、携帯情報端末の情報を閲覧可能な状態に変化した状態
であることを特徴とする請求項１または２記載の携帯情報端末認証システム。
【請求項４】
前記ヒンジの所定の状態が、折畳まれた状態から開かれた状態に変化した状態であることを特徴とする請求項１または２記載の携帯情報端末認証システム。
【請求項５】
前記ヒンジの所定の状態が、携帯情報端末のキー入力手段が外側に露出していない状態から、回転、スライド、開く、などの操作によりキー入力手段が外側に露出する状態に変化した状態であることを特徴とする請求項１または２記載の携帯情報端末認証システム。
【請求項６】
前記顔認証手段は、画像中の顔の位置を特定する顔検出手段と、
検出した顔の位置から照合用の顔データを作成する顔データ作成手段と、
作成した顔データと予め登録されている顔データとの一致度を判定する顔照合手段と、
を含むことを特徴とする請求項１から５のいずれかに記載の携帯情報端末認証システム。
【請求項７】
前記取得される画像の情報は、顔認証に用いた顔領域画像であることを特徴とする請求項２から６のいずれかに記載の携帯情報端末認証システム。
【請求項８】
端末の構成部品であるヒンジの状態が所定の状態のときに取得される画像を予め登録されている顔データと照合する顔認証ステップと、
前記照合が成功した時にロック状態の解除を行なうロック解除ステップとを保持することを特徴とする携帯情報端末認証方法。
【請求項９】
前記照合が失敗した時に、前記取得される画像の情報をユーザーが確認できる記憶部に記憶するステップをさらに保持することを特徴とする請求項８記載の携帯情報端末認証方法。
【請求項１０】
前記ヒンジの所定の状態が、携帯情報端末の情報を閲覧可能な状態に変化した状態であることを特徴とする請求項８または９記載の携帯情報端末認証方法。
【請求項１１】
前記ヒンジの所定の状態が、折畳まれた状態から開かれた状態に変化した状態
であることを特徴とする請求項８または９記載の携帯情報端末認証方法。
【請求項１２】
前記ヒンジの所定の状態が、携帯情報端末のキー入力手段が外側に露出していない状態から、回転、スライド、開く、などの操作によりキー入力手段が外側に露出する状態に変化した状態であることを特徴とする請求項８または９記載の携帯情報端末認証方法。
【請求項１３】
前記顔認証ステップは、画像中の顔の位置を特定する顔検出ステップと、
検出した顔の位置から照合用の顔データを作成する顔データ作成ステップと、
作成した顔データと予め登録されている顔データとの一致度を判定する顔照合ステップと、を保持することを特徴とする請求項８から１２のいずれかに記載の携帯情報端末認証方法。
【請求項１４】
前記取得される画像の情報は、顔認証に用いた顔領域画像であることを特徴とする請求項９から１３のいずれかに記載の携帯情報端末認証方法。
【請求項１５】
端末の構成部品であるヒンジの状態が所定の状態のときに取得される画像を前記照合が成功した時にロック状態の解除を行なうロック解除ステップをコンピュータに実行させることを特徴とする携帯情報端末認証プログラム。
【請求項１６】
前記照合が失敗した時に、前記取得される画像の情報をユーザーが確認できる
記憶部に記憶するステップをさらにコンピュータに実行させることを特徴とする請求項１５記載の携帯情報端末認証プログラム。
【請求項１７】
前記ヒンジの所定の状態が、携帯情報端末の情報を閲覧可能な状態に変化した状態
であることを特徴とする請求項１５または１６記載の携帯情報端末認証プログラム。
【請求項１８】
前記ヒンジの所定の状態が、折畳まれた状態から開かれた状態に変化した状態であることを特徴とする請求項１５または１６記載の携帯情報端末認証プログラム。
【請求項１９】
前記ヒンジの所定の状態が、携帯情報端末のキー入力手段が外側に露出していない状態から、回転、スライド、開く、などの操作によりキー入力手段が外側に露出する状態に変化した状態であることを特徴とする請求項８または９記載の携帯情報端末認証プログラム。
【請求項２０】
前記顔認証ステップは、画像中の顔の位置を特定する顔検出ステップと、
検出した顔の位置から照合用の顔データを作成する顔データ作成ステップと、
作成した顔データと予め登録されている顔データとの一致度を判定する顔照合ステップと、をコンピュータに実行させることを特徴とする請求項１５から１９のいずれかに記載の携帯情報端末認証プログラム。
【請求項２１】
前記取得される画像の情報は、顔認証に用いた顔領域画像であることを特徴とする請求項１６から２０のいずれかに記載の携帯情報端末認証プログラム。
【発明の詳細な説明】
【技術分野】
【０００１】
本発明は携帯情報端末認証システム、携帯情報端末認証方法および携帯情報端末認証プログラムに関し、特に顔認証機能を用いることでユーザーに認証のための特別な操作を要求することなく、本人認証を行なうことができる携帯情報端末用の認証システム、認証方法および認証用プログラムに関する。
【背景技術】
【０００２】
従来の携帯情報端末向け認証システムには、非特許文献１の数桁の暗証番号や指紋情報を用いた認証システムや非特許文献２のカメラで撮影した顔画像を用いた認証システムなどがある。
【０００３】
暗証番号や指紋を用いた認証システムでは、セキュリティロックがかかっている特定の機能をユーザーが実行する際に、毎回、ユーザーが暗証番号または指紋情報を入力し、ロックを解除する必要があった。
【０００４】
また、顔画像を用いた認証システムでは、認証時に毎回認証実行ボタンを押下する必要があった。 
また、顔照合処理の技術としては、例えば特開２００３−３２３６２２公報に顔照合手法が記載されている。
【０００５】
【特許文献１】特開２００３−３２３６２２公報
【非特許文献１】ＮＴＴ  ＤｏＣｏＭｏ  Ｆ９００ｉＣ取扱説明書  基本編  ｐ．２０１
【非特許文献２】ＮＴＴ  ＤｏＣｏＭｏ  Ｐ９０１ｉＣ取扱説明書  ｐ．３４２―３４４
【発明の開示】
【発明が解決しようとする課題】
【０００６】
第１の問題点は、セキュリティロックがかかっている特定の機能を実行する際には、ロックを使用しない時と比べ利便性が低下するということである。その理由は、ロックを解除するために必ず暗証番号または指紋情報を人為操作により入力するか、または認証を開始するために認証ボタンを押下する必要があるためである。
【０００７】
本発明の目的は、セキュリティロックを使用していない時と変わらない利便性で、セキュリティロックを使用できる携帯情報端末認証システム、携帯情報端末認証方法および携帯情報端末認証プログラムを提供することにある。
【課題を解決するための手段】
【０００８】
本発明の携帯情報端末認証システムは、カメラなどの撮像部と、ヒンジ操作検知手段と、顔認証手段と、ロック解除手段とを備え、ヒンジ操作検知手段によりユーザーが携帯情報端末のヒンジ部を操作し、セキュリティロックが施されている機能を使用できる状態に変更した事を検知すると、撮像部を起動しユーザーの顔画像を取得、顔認証手段により取得した顔画像と、予め登録されている登録顔データとが同一人物か否かを判定し、同一人物と判定されればロックを解除するよう動作する。
【０００９】
このような構成を採用し、ユーザーによるヒンジ操作以降、連動して顔認証およびロック解除を実行することにより本発明の目的を達成することができる。
【発明の効果】
【００１０】
第１の効果は、セキュリティロックを使用していない時と変わらない利便性で、セキュリティロックを使用できる携帯情報端末向け認証システムを提供できることにある。
【００１１】
その理由は、ユーザーによる携帯情報端末のヒンジ操作という携帯情報端末の機能を使用する際に、必ず使用する処理をきっかけとして、以降、人為操作を要することなく認証処理を完了し、セキュリティロックを解除することができるためである。
【発明を実施するための最良の形態】
【００１２】
次に、発明を実施するための最良の形態について図面を参照して詳細に説明する。
【００１３】
図１を参照すると、本発明の第１の実施の形態は、携帯情報端末のヒンジの状態をモニタリングするヒンジ状態検知部１と、被認証者の顔を撮影し画像を取得する撮像部２と、プログラム制御により動作するデータ処理装置３と、記憶装置４とから構成されている。
【００１４】
記憶装置４は、携帯情報端末の使用者の顔画像を照合時に用いる顔データに変換したものが登録されている登録顔データ記憶部４１を含む。
【００１５】
データ処理装置３は、顔認証手段３１と、ロック解除手段３２とを含む。
【００１６】
これらの手段はそれぞれつぎのように動作する。
【００１７】
ヒンジ状態検知部１により、システムで予め設定されている状態にヒンジ状態が変化したことが検知されると、撮像部２を駆動し、顔認証手段３１を開始する。なお、予め設定されているヒンジ状態とは、例えば、折畳み式の携帯情報端末であれば２つ折りになっている状態が開かれ、内側の画面がユーザーに見える状態になる状態（図７）や、リボルバー式と呼ばれる回転型の携帯情報端末であれば、回転してダイヤルキーが見える状態（図８）などである。
【００１８】
顔認証手段３１は、撮像部２から得られた画像中の被認証者の顔と登録顔データ記憶部４１に予め登録されている登録顔データとが同一人物であるか否かを判定する。
【００１９】
ロック解除手段３２は、顔認証手段３１により取得された顔画像が登録人物のものと同一人物であると判定されると、セキュリティロックを解除する。
【００２０】
次に、図１及び図２のフローチャートを参照して本実施の形態の全体の動作について詳細に説明する。
【００２１】
まず、ヒンジ状態検知部１により予めシステムにより設定されている状態にヒンジの状態が変化したことを検知すると（図２のステップＡ１）、撮像部２を駆動し被認証者の顔画像を撮影する（ステップＡ２）。次に、顔認証手段３１により撮影した顔画像と登録顔データとの一致度を算出し（ステップＡ３）、顔画像に写っている人物が登録人物と同一人物であるか否かを判定する（ステップＡ４）。最後に登録人物と判定されると、ロック解除手段３２によりセキュリティロックを解除し（ステップＡ５）、処理を終了する。登録人物と判定されなければ、ロック状態を変更せず、処理を終了する。
【００２２】
次に、顔認証手段（図１の３１）について図３を用いて説明する。顔認証手段３１は、顔検出手段３１１と、顔データ作成手段３１２と、顔照合手段３１３を含む。
【００２３】
顔検出手段３１１は、開始信号を受け取ると、入力された顔画像から顔の位置を特定する。なお、ここで言う顔検出処理には、文献「鈴木，細井，櫻井，佐藤，“リングフィルタを用いた高速顔検出処理の開発”，２００３年電子情報通信学会総合大会予稿集，ｐ．２５１」に記載の高速顔検出処理を用いることができる。
【００２４】
顔データ作成手段３１２は、画像中の特定された顔の位置から顔照合に必要な顔データを作成する。
【００２５】
顔照合手段３１３は、作成された顔データと登録顔データを照合し、顔データが登録顔データと同一人物のものであるか否かを判定、照合結果を出力する。なお、前記顔データ作成手段３１２では、顔照合手段３３３で用いられる顔照合用データを作成する。顔照合処理として、例えば特許文献１（特開２００３−３２３６２２公報）の顔照合手法を用いた場合、この手法に必要な顔照合用データを作成する。
【００２６】
本実施の形態では、ユーザーによりヒンジ部が特定の状態に変更されると自動的に認証を開始し、認証に成功するとロックを解除するというように構成されているため、携帯情報端末のセキュリティロックをかけていない時と同じ利便性で、セキュリティロック機能を提供できる。
【００２７】
次に、本発明の第２の発明を実施するための最良の形態について図面を参照して詳細に説明する。図４を参照すると、本発明の第２の発明を実施するための最良の形態は、プログラム制御により動作するデータ処理装置５が、図１に示された第1の発明を実施するための最良の形態におけるデータ処理装置３の構成に加え、画像記録手段３３が追加されている点と、記憶装置６が、図１に示された第1の発明を実施するための最良の形態における記憶装置４の構成に加え、顔認証で登録人物ではないと判定された認証失敗画像を保存する認証失敗画像記憶部４２が追加されている点とが異なる。
【００２８】
画像記録手段３３は、顔認証手段３１で行なった顔認証の結果、入力された顔画像が登録人物ではないと判定された時、認証に用いた顔画像を認証失敗画像記憶部４２に記憶する。
【００２９】
次に、図４及び図５のフローチャートを参照して、本実施の形態の全体の動作について詳細に説明する。
【００３０】
図５のステップＡ１からＡ３，Ａ５で示される本実施の形態におけるヒンジ状態検知部１、撮像部２、ロック解除手段３２の動作は第1の実施の形態の各手段と同様であるため説明は省略する。
【００３１】
第1の発明を実施するための最良の形態では、顔認証手段３１により入力された顔画像が登録人物と異なると判定された場合、何も処理を行なわず処理を終了していた。本実施の形態では、顔認証手段３１で入力顔画像が登録人物と異なると判定された場合、顔認証に用いた画像をログ画像として認証失敗画像記憶部４２に保存し、処理を終了する（ステップＢ１）。
【００３２】
なお、ログ画像保存時には、前記顔認証手段３１で顔認証に用いた顔の領域のみを保存することも可能である。
【００３３】
本発明を実施するための最良の形態では、第1の実施の形態で述べた効果に加え、ロック解除に失敗した際に撮影されていた顔画像をログ画像として保存するというように構成されているため、携帯情報端末への不正アクセス者の顔を確認することができる。また、このような構成になっていることで、不正アクセスの抑止効果も期待することができる。
【００３４】
次に、本発明の第３の発明を実施するための最良の形態について図面を参照して詳細に説明する。図６を参照すると、本発明の第３の発明を実施するための最良の形態は、本発明の第１及び第２の実施の形態と同様に、ヒンジ状態検知部１、撮像部２、記憶装置６、データ処理装置７を持ち、さらに外部記憶媒体８を持つ。
【００３５】
外部記憶媒体８は、携帯情報端末向け認証プログラムが記録されており、データ処理装置７に読み込まれデータ処理装置７の動作を制御し、第１および第２の実施の形態におけるデータ処理装置３および５と同一の処理を実行する。
【００３６】
次に、具体的な実施例を用いて本発明を実施するための最良の形態の動作を説明する。かかる実施例は本発明の第２の実施の形態に対応するものである。
【００３７】
本実施例は折畳式のカメラ付携帯電話を想定し、撮像部２は携帯電話の内側のカメラであり、ロック機能は携帯電話の通話機能と時計機能以外の全機能をロックしているとする。
【００３８】
ユーザーは本携帯電話の通話以外の機能を使う時、ロックが施されていない状態の時と同じように折り畳まれた携帯電話を開く。このヒンジの状態変化をトリガーとして、カメラを起動し、顔検出処理を開始する。
【００３９】
ユーザーは、カメラの画角内に顔が入るように若干、携帯電話の向きまたは顔の位置を調整する。カメラ画像内に顔を検出すると、次に照合に用いる顔データを作成する。続いて、作成した照合用顔データを登録顔データと照合し、被認証者が登録人物であるか否かを判定する。
【００４０】
判定の結果、登録者本人である場合、ロックを解除し被認証者に携帯電話の操作を許可する。登録者本人では無いと判定された場合、照合画像を認証失敗画像として保存し、被認証者に携帯電話の操作を許可しない。
【００４１】
携帯電話の正規使用者は、後に認証失敗画像を見ることができ、携帯電話に不正にアクセスしようとした人物の顔写真を見ることが可能である。上記処理は、回転式のヒンジやスライド式のヒンジを持つ携帯電話、ヒンジを持つノートパソコンなどでも使用可能である。
【００４２】
以上、本実施例のように本発明の認証方法は、携帯情報端末にセキュリティロックを施していない時と同じ利便性をもちながら、携帯情報端末内の情報の安全性を高めることが可能である。
【産業上の利用可能性】
【００４３】
本発明によれば、顔以外のカメラなどにより非接触で取得可能な生体情報、または人工物情報を用いた認証用途に適用できる。
【図面の簡単な説明】
【００４４】
【図１】本発明の第１の発明を実施するための最良の形態の構成を示すブロック図である。
【図２】第１の発明を実施するための最良の形態の動作を示す流れ図である。
【図３】第１の発明の顔認証手段の構成を示すブロック図である。
【図４】本発明の第２の発明を実施するための最良の形態の構成を示すブロック図である。
【図５】第２の発明を実施するための最良の形態の動作を示す流れ図である。
【図６】本発明の第３の発明を実施するための最良の形態の構成を示すブロック図である。
【図７】折畳み型携帯情報端末及びそのヒンジの構成を説明する図である。
【図８】回転型携帯情報端末及びそのヒンジの構成を説明する図である。
【符号の説明】
【００４５】
１    ヒンジ状態検知部
２    撮像部
３、５、７    データ処理装置
４、６    記憶装置
８    外部記憶媒体
３１    顔認証手段
３２    ロック解除手段
３３    画像記録手段
４１    登録顔データ記憶部
４２    認証失敗画像記憶部
３１１    顔検出手段
３１２    顔データ作成手段
３１３    顔照合手段
【図１】
2007249797.tif 000003
【図２】
2007249797.tif 000004
【図３】
2007249797.tif 000005
【図４】
2007249797.tif 000006
【図５】
2007249797.tif 000007
【図６】
2007249797.tif 000008
【図７】
2007249797.tif 000009
【図８】
2007249797.tif 000010